(57)【特許請求の範囲】
【請求項１】
バスダクトハウジングの所定部位に対応する開口部を備えた底面部と、前記底面部と一体的に形成された一対の相対する側壁面とを備えた、断面Ｕ字形のベース部材と、
少なくとも１つの外部通気孔部を備えた上面部と、前記上面部と一体的に形成されて、前記ベース部材の前記側壁面と所定間隙を備えて対応して配置される、１対の側面部および１対の端面部を備えた、断面Ｕ字形の蓋部材と、
前記蓋部材の内側に配置されて前記蓋部材との間に空間部を形成する、少なくとも１つの内部通気孔部を備えた水平面部と、前記蓋部材の前記側面部と対応する１対の垂直面部とを備えた断面Ｕ字形の遮蔽板材とを備えた、プラグインボックス。
【請求項２】
前記蓋部材における前記外部通気孔部と前記遮蔽板材における前記内部通気孔部とが互い違いに配置されている、請求項１に記載のプラグインボックス。
【請求項３】
前記蓋部材と前記遮蔽板材によって形成された前記空間部が断熱機能を備えている、請求項１または２に記載のプラグインボックス。
【請求項４】
前記ベース部材の側壁面と前記蓋部材の側面部との間の所定間隙を通って冷たい外気が吸入され、前記遮蔽板材の前記内部通気孔部および前記蓋部材の外気通気孔部を通って昇温した空気が外部に放出されて、空気の自然対流が生じるように、前記ベース部材、前記遮蔽板材および前記蓋部材が配置されている、請求項１から３の何れか１項に記載のプラグインボックス。
【請求項５】
前記蓋部材の前記端面部の下端部が前記ベース部材に取り付けられて、前記ベース部材に前記蓋部材が固定される、請求項１から４の何れか１項に記載のプラグインボックス。
【請求項６】
前記蓋部材の前記端面部の少なくとも１つに、通線板が備えられている、請求項１から５の何れか１項に記載のプラグインボックス。
【請求項７】
前記ベース部材の前記開口部が前記プラグインホールに一致するように、前記ベース部材が前記バスダクトハウジングの上面に搭載され、前記バスダクトハウジングの下面を覆うように配置された固定金具によって、前記バスダクトハウジングに前記ベース部材が固定されている、請求項１から６の何れか１項に記載のプラグインボックス。
【請求項８】
前記バスダクトハウジングの所定部位が、プラグインホールである、請求項１から７の何れか１項に記載のプラグインボックス。
【請求項９】
前記バスダクトハウジングの所定部位が、バスダクトハウジングの終端部の端末である、請求項１から７の何れか１項に記載のプラグインボックス。
【請求項１０】
前記バスダクトハウジングの所定部位が、連結される２つのバスダクトハウジングの接続部である、請求項１から７の何れか１項に記載のプラグインボックス。
【請求項１１】
前記プラグインボックスが、フィードインボックス、フィードアウトボックス、および、過電流防止のための遮断器ボックスの何れか１つである、請求項１から１０の何れか１項に記載のプラグインボックス。
【発明の詳細な説明】
【技術分野】
【０００１】
この発明は、電気導体を収納するバスダクト用ハウジングのプラグインホールに取り付けられるプラグインボックスに関する。
【背景技術】
【０００２】
高層ビル等の構造物では、電気幹線路を構成するためにバスダクトが使用されている。バスダクトは通常ケーブル等とは異なり、大きな荷重、剛性を有している。一般にバスダクトとは、電気導体の周囲を絶縁材で覆って構成した導体をハウジングの内部に複数収納保持するものである。このバスダクトは、複数のケーブルを束ねて配線する配線システムと比較して、火災などの発生防止や漏洩磁束防止などに極めて優れた機能を有することから、工場施設やビルの主電力供給ラインなどに広く用いられている。
【０００３】
従来、バスダクトとして、複数の帯状または丸線状の導体と、導体を収納するハウジングと、ハウジング内の空間を複数個の空間に分離する複数の分離部材とを備えたバスダクトが使用されている。上述した分離部材は、ハウジングと導体との間に形成される空間、および、複数の導体の相互の間に形成される空間を、複数の空間に分離するバスダクトである。上述した導体は、電気導体と、電気導体の周面に設けられ、他の電気導体と電気的に分離するための絶縁体とを備えている。
【０００４】
図８は、従来のバスダクトを示す図である。図８に示すように、バスダクト１００は、ハウジング１１１と、ハウジング１１１内に収納された複数の導体１１２Ａ〜１１２Ｃと、ハウジング１１１と導体１１２Ａ〜１１２Ｃとの間に形成される空間または一つの導体（例えば、導体１１２Ａ）と他の導体（導体１１２Ｂ）との間に形成される空間を複数の空間に分離する（図示しない）複数の分離部材と、他のバスダクトを電気的に接続するための（図示しない）接続部を備えている。分離部材は、ハウジング１１１内にハウジング１１１に密着した状態で収納されている。
【０００５】
ハウジング１１１は、導体１１２Ａ〜１１２Ｃを収納する凹部１１５と、凹部１１５の開口端の両側に設けられたフランジ１１６とを備える一対のハウジング片１１７Ａ、１１７Ｂを対向させ、互いのフランジ１１６を接合させ、ボルト、ナット等の結合部材１１８で結合し、導体１１２Ａ〜１１２Ｃを収納保持する。
【０００６】
導体１１２Ａ〜１１２Ｃは、同一構成を有しており、電気導体１２１と、この電気導体１２１の周面に設けられ、他の電気導体１２１と電気的に分離するための絶縁体１２２とを備えている。このため、例えば、複数系統の電力あるいは電気信号を供給することができる。
【０００７】
上述したバスダクトハウジングの一面には、プラグインホールが設けられている。プラグインホールには、プラグイン機器を備えたプラグインボックスが取り付けられて、バスダクトから電力を分岐することが知られている。
【特許文献１】特開２００５−２８７１７２号公報
【特許文献２】特開２００７−２７４８１４号公報
【特許文献３】特開２００７−２６７４６４号公報
【発明の開示】
【発明が解決しようとする課題】
【０００８】
従来のプラグインボックスは、底面にプラグインホールに対応する開口部を備え密閉された箱型のボックスからなっており、バスダクトから電力を分岐する際に、熱がボックス内にこもり、ボックスが高温になるという問題があった。
【０００９】
従って、この発明の目的は、従来の問題点を解決して、バスダクトから電力を分岐する際に、熱がボックス内にこもらず、ボックスが高温にならないような熱処理機能を備え、施工時に感電を防止することができるプラグインボックスを提供することにある。
【課題を解決するための手段】
【００１０】
本発明者は、上述した従来の問題点を解決すべく鋭意研究を重ねた。その結果、以下のことが判明した。プラグインボックスを形成する部材をベース部材と、蓋部材に分割し、バスダクトハウジングに載置したベース部材に蓋部材を被せた際に、ベース部材と蓋部材のそれぞれの側面の間に所定の間隙を有するように配置し、蓋部材の一部に通気孔部を設けると、冷たい外気がベース部材と蓋部材の側面の間の間隙３０に流れ込み、蓋部材の通気孔部を通って、昇温した空気がボックス外に流出することによって、自然対流を起こし、ボックス内の温度を冷却することができることが判明した。
【００１１】
更に、蓋部材の内側に蓋部材の上面との間に空間部が形成されるように遮蔽部材を配置すると、空間部が断熱機能を発揮して、蓋部材の温度が過度に高くなるのを防止することができること、および、遮蔽部材に、蓋部材の通気孔部と互い違いに設けられた別の通気孔部を設けると、上述した断熱機能を発揮しつつ、上述した自然対流を効果的に生じさせることができることが判明した。
【００１２】
この発明は、上記研究結果に基づいてなされたものであって、この発明のプラグインボックスの第１の態様は、バスダクトハウジングの所定部位に対応する開口部を備えた底面部と、前記底面部と一体的に形成された一対の相対する側壁面とを備えた、断面Ｕ字形のベース部材と、
少なくとも１つの外部通気孔部を備えた上面部と、前記上面部と一体的に形成されて、前記ベース部材の前記側壁面と所定間隙を備えて対応して配置される、１対の側面部および１対の端面部を備えた、断面Ｕ字形の蓋部材と、
前記蓋部材の内側に配置されて前記蓋部材との間に空間部を形成する、少なくとも１つの内部通気孔部を備えた水平面部と、前記蓋部材の前記側面部と対応する１対の垂直面部とを備えた断面Ｕ字形の遮蔽板材とを備えた、プラグインボックスである。
【００１３】
この発明のプラグインボックスの第２の態様は、前記蓋部材における前記外部通気孔部と前記遮蔽板材における前記内部通気孔部とが互い違いに配置されている、プラグインボックスである。
【００１４】
この発明のプラグインボックスの第３の態様は、前記蓋部材と前記遮蔽板材によって形成された前記空間部が断熱機能を備えている、プラグインボックスである。
【００１５】
この発明のプラグインボックスの第４の態様は、前記ベース部材の側壁面と前記蓋部材の側面部との間の所定間隙を通って冷たい外気が吸入され、前記遮蔽板材の前記内部通気孔部および前記蓋部材の外気通気孔部を通って昇温した空気が外部に放出されて、空気の自然対流が生じるように、前記ベース部材、前記遮蔽板材および前記蓋部材が配置されている、プラグインボックスである。
【００１６】
この発明のプラグインボックスの第５の態様は、前記蓋部材の前記端面部の下端部が前記ベース部材に取り付けられて、前記ベース部材に前記蓋部材が固定される、プラグインボックスである。
【００１７】
この発明のプラグインボックスの第６の態様は、前記蓋部材の前記端面部の少なくとも１つに、通線板が備えられている、プラグインボックスである。
【００１８】
この発明のプラグインボックスの第７の態様は、前記ベース部材の前記開口部が前記プラグインホールに一致するように、前記ベース部材が前記バスダクトハウジングの上面に搭載され、前記バスダクトハウジングの下面を覆うように配置された固定金具によって、前記バスダクトハウジングに前記ベース部材が固定されている、プラグインボックスである。
【００１９】
この発明のプラグインボックスの第８の態様は、前記バスダクトハウジングの所定部位が、プラグインホールであるプラグインボックスである。
【００２０】
この発明のプラグインボックスの第９の態様は、前記バスダクトハウジングの所定部位が、バスダクトハウジングの終端部の端末であるプラグインボックスである。
【００２１】
この発明のプラグインボックスの第１０の態様は、前記バスダクトハウジングの所定部位が、連結される２つのバスダクトハウジングの接続部であるプラグインボックスである。
【００２２】
この発明のプラグインボックスの第１１の態様は、前記プラグインボックスが、フィードインボックス、フィードアウトボックス、および、過電流防止のための遮断器ボックスの何れか１つである、プラグインボックスである。
【００２３】
この発明のプラグインボックスのその他の態様は、前記バスダクトハウジングが、相互に嵌合して、内部に導体および導体を固定する絶縁物を収納する断面矩形の空間を形成する、１対の相対する断面概ねコの字形の第１部材と、第２部材とを備え、
前記第１部材および前記第２部材は、それぞれ対応する断面矩形の長辺を形成する面、および、断面矩形の短辺を形成する２つの面を有しており、それぞれの前記断面矩形の短辺を形成する面の先端部が嵌合されて形成された嵌合部を備えている、プラグインボックスである。
【００２４】
この発明のプラグインボックスのその他の態様は、前記導体から前記開口部を通ってフィードイン端子が取り出され、内部に収納されている、プラグインボックスである。
【００２５】
この発明のプラグインボックスのその他の態様は、前記導体が板状導体または丸線状導体からなっている、プラグインボックスである。
【発明の効果】
【００２６】
この発明によると、ベース部材２の側壁面７と、蓋部材３の側面部１０との間の間隙３０を通って流入した冷たい外気がプラグインボックス内で昇温して、上昇して２箇所の通気孔部を通る所謂自然対流が生じて、プラグインボックス内の温度を低下させることができる。
【００２７】
更に、蓋部材３の上面部１５および遮蔽板材４の水平面部１４にはそれぞれ通気孔部が、相互に互い違いになるように設けられている。このように２階構造にして、通気孔部をそれぞれ設けることによって、施工時にドライバー等がプラグインボックス１内のフィードイン端子に接触して感電するのを防止すると共に、塵埃の進入を軽減させることができる。
【発明を実施するための最良の形態】
【００２８】
この発明のプラグインボックスの態様について図面を参照しながら詳細に説明する。プラグインボックスは、例えば、フィードインボックス、フィードアウトボックス、過電流防止のための遮断器ボックスなど様々なボックスがある。
以下では、プラグインボックスの１つの例であるフィードインボックスに関して説明する。フィードインボックスについて説明するボックス構造は、上述した各種ボックスに適用することができる。
【００２９】
この発明のフィードインボックスの１つの態様は、バスダクトハウジングのプラグインホールに対応する開口部を備えた底面部と、底面部と一体的に形成された一対の相対する側壁面とを備えた、断面Ｕ字形のベース部材と、
少なくとも１つの外部通気孔部を備えた上面部と、上面部と一体的に形成されて、ベース部材の側壁面と所定間隙を備えて対応して配置される、１対の側面部および１対の端面部を備えた、断面Ｕ字形の蓋部材と、
蓋部材の内側に配置されて蓋部材との間に空間部を形成する、少なくとも１つの内部通気孔部を備えた水平面部と、蓋部材の側面部と対応する１対の垂直面部とを備えた断面Ｕ字形の遮蔽板材とを備えた、フィードインボックスである。
【００３０】
１つの態様において、上述したバスダクトハウジングの所定部位が、プラグインホールである。他の態様において、バスダクトハウジングの所定部位が、バスダクトハウジング両端の終端部の端末である。更に他の態様において、バスダクトハウジングの所定部位が、連結される２つのバスダクトハウジングの接続部である。このように、この発明のプラグインボックスは、バスダクトの各種部位において広く適用することができる。
【００３１】
図１は、この発明のフィードインボックスの１つの態様を説明する分解図である。図１に示すように、この発明のフィードインボックス１は、ベース部材２、蓋部材３および遮蔽板材４からなっている。ベース部材２は、バスダクトハウジングのプラグインホールに対応する開口部８を備えた底面部２０と、底面部２０と一体的に形成された一対の相対する側壁面７、７とを備えた、断面概ねＵ字形の部材からなっている。
【００３２】
蓋部材３は、少なくとも１つの外部通気孔部１６を備えた上面部１５と、上面部１５と一体的に形成されて、ベース部材２の側壁面７、７とそれぞれ所定間隙を備えて対応して配置される、１対の側面部１０、１０および１対の端面部１１、１１を備えた、断面Ｕ字形の部材からなっている。蓋部材３は、ベース部材２を上方から覆うように組み合わされて、ベース部材２に固定される。
【００３３】
遮蔽板材４は、蓋部材３の内側に配置されて蓋部材３との間に空間部２４（後述する図７（ｂ）、（Ｃ）を参照）を形成する、少なくとも１つの内部通気孔部１７を備えた水平面部１４と、蓋部材３の側面部１０、１０と対応する１対の垂直面部１３、１３とを備えた断面Ｕ字形の板材である。
【００３４】
上述したベース部材２、蓋部材３、および、遮蔽板材４が組立てられて固定されると、蓋部材３の上面部１５と遮蔽板材４の水平面部１４との間に空間部２４が形成され、所謂２階構造になっている。更に、蓋部材３の上面部１５および遮蔽板材４の水平面部１４にはそれぞれ通気孔部が、相互に互い違いになるように設けられている。このように２階構造にして、通気孔部をそれぞれ設けることによって、施工時にドライバー等がフィードインボックス１内のフィードイン端子に接触して感電するのを防止すると共に、塵埃の進入を軽減させることができる。
【００３５】
上述したように、ベース部材２と蓋部材３は、ベース部材２の側壁面７、７と、蓋部材３の側面部１０、１０とが、それぞれ所定間隙を備えて対応して配置されるので、側壁面７と側面部１０の間の空間を通って冷たい外気が流れ込むようになっている。バスダクト内の導体には大電流が流れるので、従来のフィードインボックス内は高温になることがある。
【００３６】
この発明のフィードインボックスは、上述したように、蓋部材３の上面部１５および遮蔽板材４の水平面部１４にはそれぞれ通気孔部が、相互に互い違いになるように設けられている。従って、フィードイン内の導体の熱で昇温した空気は、遮蔽板材４の水平面部１４に設けられた通気孔部１７を通り、更に、互い違いに設けられた蓋部材３の上面部１５に設けられた通気孔部１６を通って、フィードインボックス外に流れ出す。
【００３７】
その結果、ベース部材２の側壁面７と、蓋部材３の側面部１０との間の間隙３０を通って流入した冷たい外気がフィードインボックス内で昇温して、上昇して２箇所の通気孔部を通る所謂自然対流が生じて、フィードインボックス内の温度を低下させることができる。
【００３８】
フィードインボックス１は、底面部２０の開口部が、バスダクトハウジングのプラグインホールに対応するように、バスダクトハウジングの上面に固定される。フィードインボックス１をバスダクトハウジングに固定するために、固定部材６が使用される。即ち、ベース部材２の底面部２０の裏側には、バスダクトハウジングの下面を覆うようにして、バスダクトハウジングの上面にベース部材２を固定するための固定部材６が取り付けられる。固定部材は、バスダクトハウジングの下面を支持する支持部１８と、バスダクトハウジングの側面を固定する垂直部２８と、端部１９を備えた断面概ねＵ字形からなっている。
【００３９】
図２は、蓋部材を説明する図である。図２（ａ）は一方の側面図、図２（ｂ）は平面図、図２（ｃ）は、他方の側面図である。図２（ｂ）に示すように、蓋部材３の上面図１５には、２種類の外部通気孔部１６が対称的に設けられている。外部通気孔部の大きさ、配置状況は、施工時の感電防止、塵埃の進入の軽減、および、フィードインボックス内の空気の対流を考慮して、適宜設定することができる。従って、２種類の寸法、形状の外部通気孔部である必要は無く。適宜決めることができる。但し、蓋部材における外部通気孔部と遮蔽板材における内部通気孔部とが互い違いに配置されていることが必要である。
【００４０】
図２（ａ）は、１つの端面部を示し、下端部がネジ等の固定部２５によって、ベース部材２の端壁部９に固定される。図２（ｃ）は、他方の端面部を示し、他方の端面部は門形からなり、中央部に開口１２があり、開口１２を塞ぐように、固定部２６、２５によって、通線板５が固定される。他方の端面部も下端部が固定部２５によって、ベース部材の端壁部９に固定される。なお、側面部１０は示されていないが、開口の無い１枚の板材からなっている。このように、蓋部材は複数の板材を接合して、下面が開放された概ね矩形の箱形の部材を形成している。蓋部材は、一体物として成形されていてもよい。材質として、例えば電気亜鉛めっき鋼板（ＳＥＨＣ）等が使用される。  
【００４１】
図３は、ベース部材を説明する図である。図３（ａ）は側面図、図３（ｂ）は平面図である。図３（ｂ）に示すように、ベース部材２の底面部２０の概ね中央には、開口部８が設けられている。ベース部材２の底面部２０に設けられた開口部８は、バスダクトハウジングの上面に設けられたプラグインホールに対応する位置に、対応する寸法で設けられている。ベース部材２の底面部２０の長軸方向の両側面には、底面部２０と一体的に１対の側壁部７、７が設けられている。ベース部材２の底面部２０の短軸方向の両側面には、底面部２０と一体的に１対の端壁部９、９が設けられている。
【００４２】
上述したように、ベース部材２の端壁部９には、蓋部材３の端面部１１の下端部が固定部２５によって固定される。ベース部材の端壁部９に蓋部材の端面部１１の下端部が固定された状態においては、蓋部材３の側面部１０とベース部材２の側壁部７とが所定間隙を開けて並列配置されている。蓋部材３の側面部１１は、ベース部材２の側壁部７よりも高く、上述した所定間隙を通って流れ込んだ外気がフィードインボックス内に容易に誘導される。ベース部材２の側壁部７は、ベース部材２の端壁部９よりも高い。更に、ベース部材２の底面部２０の開口部８の周りには、固定板材６によってベース部材２が、バスダクトハウジングに取り付けられる固定部２７を備えている。材質として、例えば電気亜鉛めっき鋼板（ＳＥＨＣ）等が使用される。  
【００４３】
図４は、遮蔽板材を説明する図である。図４（ａ）は側面図、図４（ｂ）は平面図である。図４（ｂ）に示すように、遮蔽板材４の水平面部１４には内部通気孔部１７が設けられている。水平面部１４の長軸方向の両側面には、１対の垂直面部１３が一体的に形成されている。遮蔽板材４は断面が概ねＵ字形の板材である。遮蔽板材４は、垂直面部１３の外側が蓋部材３の側面部１０の内側に当接されるように、蓋部材３の内部に配置されて接合される。上述したように、遮蔽板材４の水平面部１４の上面側と蓋部材３の上面部１５の下面側との間に空間部２４が形成される。
【００４４】
蓋部材３に関して説明したように、蓋部材３の外部通気孔部１６と遮蔽板材４の内部通気孔部１７とは、互い違いになるように設けられている。なお、図１を参照して説明した遮蔽板材３は、垂直面部１３が水平面部１４の下方に設けられているが、垂直面部１３が水平面部１４の上方に設けられていてもよい。遮蔽板材４の寸法は、蓋部材３の内部に納まる大きさであればよい。上述したように、蓋部材の上面部１５と遮蔽板材の水平面部によって２階構造が形成されている。材質として、例えば電気亜鉛めっき鋼板（ＳＥＨＣ）等が使用される。  
【００４５】
図５は、固定部材を説明する図である。図５（ａ）は平面図、図５（ｂ）は側面図である。実際の配置状態は、後述するが、フィードインボックス１をバスダクトハウジングの上に固定するために、板状の固定部材６が使用される。バスダクトハウジングの上面に設けられたプラグインホールに対応する位置に、ベース部材２の底面部２０に設けられた開口部８が対応するように配置され、バスダクトハウジングの下面を覆うように固定部材６の支持部１８が支持し、バスダクトハウジングの側面を垂直部２８が固定して、端部１９がベース部材２の底面部２０の裏面に固定される。材質として、例えば電気亜鉛めっき鋼板（ＳＥＨＣ）等が使用される。  
【００４６】
図６は、通線板を説明する平面図である。通線板５は下端部の両側に凹部を備え、上端部が固定部によって蓋部材の端面部に固定される。即ち、通線板５によって、蓋部材の端面部に設けられた開口を閉塞する。従って、通線板の寸法は、蓋部材の端面部の開口を覆うことができる大きさであればよい。材質として、例えば電気亜鉛めっき鋼板（ＳＥＨＣ）等が使用される。  
【００４７】
図７は、バスダクトハウジングに取り付けられたフィードインボックスを説明する図である。図７（ａ）は一部切り欠き平面図、図７（ｂ）は縦断面図、図７（ｃ）は横断面図である。
【００４８】
図７（ａ）に示すように、図の上側および下側の両側部に、冷たい外気が導かれる間隙３０が設けられている。即ち、最も外側に位置する蓋部材３の側面部１０とその内側に配置されるベース部材２の側壁部７との間に間隙３０が形成されている。ベース部材２の底面部２０に設けられた開口部８がバスダクトハウジング２１のプラグインホール３１の位置に対応するように、ベース部材２とバスダクトハウジング２１が位置決めされて配置されている。プラグインホールを経て、バスダクトハウジング２１内の導体からフィードイン端子２３が電気的に接続されて、フィードインボックス内に収納されている。        
【００４９】
更に、図７（ａ）に示すように、蓋部材３の上面部１５には、複数の外部通気孔部１６が設けられている。点線で示すように、遮蔽板材の水平面部には、複数の内部通気孔部７が、外部通気孔部と互い違いになるように配置されている。図７（ａ）には、上述したように、蓋部材３の側面部１０とベース部材２の側壁部７との間に形成された間隙３０、外部通気孔部１６、および、内部通気孔部１７の平面上の関係が明らかにされている。
【００５０】
図７（ｂ）は縦断面図で、図７（ｂ）に示すように、フィードインボックス１が、バスダクトハウジング２１の上面に、固定部材６によって固定されている。なお、バスダクトハウジングの一部が切り欠き部として示されている。図７（ｂ）では、上述した蓋部材３の側面図１０と、ベース部材２の側壁部７との高さの相関関係が示されている。更に、図７（ｂ）には、蓋部材３の上面部１５と、垂直面部１３によって蓋部材３の内側に固定された遮蔽板材の水平面部１４との間に形成された空間部２４が示されている。
【００５１】
図７（ｃ）は、横断面図で、図７（ｃ）に示すように、バスダクトハウジング２１の中には絶縁物に挟まれた３本の導体２２が並列配置されている。図７（ｃ）に示す導体２２は、丸線状の導体であるが、帯状の導体であってもよい。導体２２と電気的に接続され、分岐されたフィードイン端子２３が、フィードインボックス１内に収納されている。バスダクトハウジング２１の下面を覆うように配置された固定部材６の支持部１８、側面を固定するに配置された垂直部２８によって、バスダクトハウジング２１にフィードインボックス１が固定されている。固定部材６の固定部１９は、フィードインボックス１の底面部２０に固定されている。
【００５２】
更に、図７（ｃ）には、上述したベース部材２の側壁部７と、蓋部材３の側面部１０との間に形成された間隙３０が示されている。図中、矢印で示すように、冷たい外気が間隙３０を通ってフィードインボックス内に導かれる。この図にも、ベース部材２の側壁部７と、蓋部材３の側面部１０との高さの相関関係が明らかに示されている。図７（ｃ）の上部には、蓋部材３の上面部１５と遮蔽板材の水平面部の間に空間部２４が形成されているのが明らかに示されている。更に、図７（ｃ）には、遮蔽部材の垂直面部１３が蓋部材の側面部の内側に固定されている状態が明らかに示されている。
【００５３】
図７（ｃ）に示すように、導体とフィードイン端子の接続は、ネジでの固定、溶接等による接合等によって、行われるが、帯状導体の場合には、プラグインタイプでワンタッチで簡単に接続が行われる。              
フィードインボックス１が取り付けられるバスダクトハウジング２１は、１対の相対する断面概ねコの字形の第１部材４１と、第２部材４２とを備えている。第１部材４１および第２部材４２は、相互に嵌合して、内部に導体２２および導体２２を固定する絶縁物４３を収納する断面矩形の空間を形成する。即ち、嵌合は、ワンタッチで簡単に行える。しかし、一度結合されると、外れない構造になっているので、信頼性は高い。
【００５４】
バスダクトハウジング２１を形成する一方の部材である第１部材４１は、断面矩形の長辺を形成する面および、断面矩形の短辺を形成する２つの面を有する概ね断面コの字形である。バスダクトハウジング２１を形成する他方の部材である第２部材４２は、第１部材４１に対応して、断面矩形の長辺を形成する面および、断面矩形の短辺を形成する２つの面を有する概ね断面コの字形である。第１部材４１の断面矩形の短辺を形成する面の先端部と、第２部材４２の断面矩形の短辺を形成する面の先端部とが嵌合して、嵌合部が形成される。
【００５５】
バスダクトハウジング２１内には、導体２２および導体２２を固定する絶縁物４３が収納されて、第１部材４１および第２部材４２のバスダクトハウジング内側方向への動きを阻止しているので、強固に嵌合され、外れることなく十分な強度を備えている。即ち、第１部材４１および第２部材４２のバスダクトハウジング内側方向への動きを阻止する機能を備えていることが嵌合を確実にする。
【００５６】
上述したこの発明のプラグインボックスの１つの態様として、空気絶縁型のバスダクトについて説明したが、導体を絶縁物で被覆し、被覆導体を密着させる被覆型のバスダクトにも同様に適用することができる。
【００５７】
上述したように、この発明によると、バスダクトから電力を分岐する際に、熱がボックス内にこもらず、ボックスが高温にならないような熱処理機能を備え、施工時に感電を防止することができるプラグインボックスを提供することができる。
【図面の簡単な説明】
【００５８】
【図１】図１は、この発明のフィードインボックスの１つの態様を説明する分解図である。
【図２】図２は、蓋部材を説明する図である。図２（ａ）は一方の側面図、図２（ｂ）は平面図、図２（ｃ）は、他方の側面図である。
【図３】図３は、ベース部材を説明する図である。図３（ａ）は側面図、図３（ｂ）は平面図である。
【図４】図４は、遮蔽板材を説明する図である。図４（ａ）は側面図、図４（ｂ）は平面図である。
【図５】図５は、固定部材を説明する図である。図５（ａ）は平面図、図５（ｂ）は側面図である。
【図６】図６は、通線板を説明する平面図である。
【図７】図７は、バスダクトハウジングに取り付けられたフィードインボックスを説明する図である。図７（ａ）は一部切り欠き平面図、図７（ｂ）は縦断面図、図７（ｃ）は横断面図である。
【図８】図８は、従来のバスダクトを示す図である。
【符号の説明】
【００５９】
１  フィードインボックス
２  ベース部材
３  蓋部材
４  遮蔽部材
５  通線板
６  固定部材
７  側壁部
８  開口部
９  端壁部
１０  側面部
１１  端面部
１２  開口
１３  垂直面部
１４  水平面部
１５  上面部
１６  外部通気孔部
１７  内部通気孔部
１８  支持部
１９  固定部
２０  底面部
２１  バスダクトハウジング
２２  導体
２３  フィードイン端子
２４  空間部
２５  固定部
２６  固定部
２７  固定部
２８  垂直部
２９  固定部
３０  間隙
３１  プラグインホール
４１  第１部材
４２  第２部材
４３  絶縁物
【図１】
0004851492.tif 000002
【図２】
0004851492.tif 000003
【図３】
0004851492.tif 000004
【図４】
0004851492.tif 000005
【図５】
0004851492.tif 000006
【図６】
0004851492.tif 000007
【図７】
0004851492.tif 000008
【図８】
0004851492.tif 000009